(57)【要約】      （修正有）【課題】複数の画像処理装置とネットワークを介し接続された操作端末において、一方の画像処理装置側に、情報処理を行う他方の画像処理装置の全能力を表示する機能を搭載しなくとも、前記全能力を連係して実行できるようにする。【解決手段】画像処理装置の能力を問い合わせる画像処理装置能力問い合わせ手段１２２と、問い合わせた画像処理装置の能力に基づき、情報処理に必要な能力を備えた画像処理装置を選択する画像処理装置選択手段１２５と、前記問い合わせた能力を選択された画像処理装置と共に操作パネルに表示する画像処理装置能力表示手段１２４とを有し、ユーザの操作に応じて、前記選択した画像処理装置に前記情報処理の動作を指示する。【選択図】図５
2014103562.tif 000002
【特許請求の範囲】
【請求項１】
ネットワークを介して複数の画像処理装置に接続され、一方の画像処理装置で取得した画像データを他方の画像処理装置へ送信して情報処理を行う操作端末であって、
前記画像処理装置の画像処理装置リストを保持する画像処理装置リスト保持手段と、
前記画像処理装置リスト保持手段に保持した画像処理装置に対して、当該画像処理装置の能力を問い合わせる画像処理装置能力問い合わせ手段と、
前記画像処理装置能力問い合わせ手段で問い合わせた前記画像処理装置の能力に基づき、前記画像処理装置リスト保持手段に保持された画像処理装置から、前記情報処理に必要な能力を備えた画像処理装置を選択する画像処理装置選択手段と、
前記画像処理装置能力問い合わせ手段で取得した前記画像処理装置の能力を、前記選択された画像処理装置と共に表示画面に表示する画像処理装置能力表示手段と、を有し、
ユーザの操作に応じて、前記選択した画像処理装置に前記情報処理の動作を指示することを特徴とする操作端末。
【請求項２】
請求項１に記載された操作端末において、
前記画像処理装置能力問い合わせ手段で前記画像処理装置に問い合わせる能力項目を、ユーザの指示に基づき決定する問い合わせ項目決定手段を有し、
前記画像処理装置能力表示手段は、前記問い合わせ項目決定手段で決定した前記能力項目を前記表示画面に表示することを特徴とする操作端末。
【請求項３】
請求項１に記載された操作端末において、
前記画像処理装置との間でデータを送受信するデータ送受信手段を有することを特徴とする操作端末。
【請求項４】
請求項１に記載された操作端末において、
ユーザ認証手段と、前記ユーザ認証手段で判別した当該ユーザが利用する前記画像処理装置及びその能力を保存するユーザ情報記憶手段と、を有することを特徴とする操作端末。
【請求項５】
請求項１に記載された操作端末において、
前記画像処理装置選択手段が選択した画像処理装置が利用不可の場合、前記画像処理装置と同じ能力を備えた、別の画像処理装置を選択する臨時画像処理装置選択手段を有することを特徴とする操作端末。
【請求項６】
請求項４に記載された操作端末において、
前記ユーザ情報記憶手段は、少なくともユーザ名及び利用能力を含むユーザに関係する情報を記憶し、
前記画像処理装置能力表示手段が画像処理装置の能力を前記表示画面に表示する際に、前記ユーザ情報記憶手段に保存された利用頻度の高い利用能力情報を優先して表示することを特徴とする操作端末。
【請求項７】
請求項１に記載された操作端末において、
前記能力はＦＡＸ送受信に関する能力であり、
前記画像処理装置リスト保持手段に保持した画像処理装置がＦＡＸ受信したことを検知する受信検知手段を有することを特徴とする操作端末。
【請求項８】
請求項１に記載された操作端末とネットワークを介して接続された複数の画像処理装置とからなる情報処理システム。
【請求項９】
ネットワークを介して複数の画像処理装置に接続され、一方の画像処理装置で取得した画像データを他方の画像処理装置へ送信して情報処理を行う操作端末における情報処理方法であって、
前記画像処理装置の画像処理装置リストを画像処理装置リスト保持手段に保持する工程と、
前記画像処理装置リスト保持手段に保持した画像処理装置に対して、当該画像処理装置の能力を問い合わせる画像処理装置能力問い合わせ工程と、
前記画像処理装置能力問い合わせ工程で問い合わせた前記画像処理装置の能力に基づき、前記画像処理装置リスト保持手段に保持された画像処理装置から、前記情報処理に必要な能力を備えた画像処理装置を選択する画像処理装置選択工程と、
前記画像処理装置能力問い合わせ工程で取得した前記画像処理装置の能力を、前記選択された画像処理装置と共に表示画面に表示する画像処理装置能力表示工程と、を有し、
ユーザの操作に応じて、前記選択した画像処理装置に前記情報処理の動作を指示することを特徴とする情報処理方法。
【請求項１０】
コンピュータに、請求項９における操作端末における情報処理方法の各工程を実行させるためのプログラム。
【発明の詳細な説明】
【技術分野】
【０００１】
本発明は、操作端末、前記操作端末を用いた情報処理システム、前記操作端末を用いた情報処理方法、プログラムに関する。
【背景技術】
【０００２】
モバイル端末を用いて、それと連係した複数の画像形成装置を操作する技術が知られている。他方、モデム無し画像形成装置からモデム付き画像形成装置に対して画像データを送信しＦＡＸ（ファクシミリ）送信を行う、或いはＦＡＸを受信したモデム付き画像形成装置からモデム無し画像形成装置へＦＡＸ受信文書を転送するＦＡＸ処理システムも知られている。
しかし、従来のＦＡＸ処理システムにおいては、原稿を読み込むモデム無し画像形成装置のパネルで、ＦＡＸ機能の全てを表現することはできない。そのため、モデム無し画像形成装置には、一部の機能しか設定することはできない。また、画像データを受信したモデム無し画像形成装置では、受信した画像データのサイズに従って印刷を行うため、印刷トレイを選択する機能を搭載する必要がある。そのため、従来からモデム付き画像形成装置で行っている機能を、改めて連係したモデム無し画像形成装置に搭載する必要がある。
【０００３】
特許文献１には、ＭＦＰ（複合機）の起動時にネットワーク上のファクス装置を検出し、スキャナで原稿を読み込み、入力された宛先（ファクス番号）と共に、起動時に検出したファクス装置に送信要求を出すことで、指定された宛先にファクス送信を行うファクシミリ機能代替システムが記載されている。
【０００４】
また、特許文献２には、接続された携帯電話機などの端末装置を第二の操作部とし、接続された携帯電話機を用いて外部機器との通信を実行するとともに、プリンタやファクシミリ装置として機能する画像形成装置が記載されている。この画像形成装置は、例えば、インターネット網から入手した画像データをプリントアウトしたり、送受信先ＦＡＸに対してファクシミリを送信したり、或いは送受信先ＦＡＸからファクシミリを受信したりすることができる。
【０００５】
これらの発明は、ネットワーク上のＦＡＸ装置からＦＡＸ送信を行う点では本発明と類似する点がある。しかし、これらのＦＡＸ連係機能では、原稿を読み込むモデム無し画像形成装置のパネルでは、ＦＡＸ機能の全てを表現できないため、一部の機能しか設定できない。また、受信したモデム無し画像形成装置では受信したサイズに従って印刷トレイを選択する機能を搭載する必要があり、前記問題は解消されていない。
【発明の概要】
【発明が解決しようとする課題】
【０００６】
本発明は、前記従来の問題に鑑みてなされたものであって、その目的は、複数の画像処理装置とネットワークを介し接続された操作端末において、連係して処理を行う一方の画像処理装置側で、他方の画像処理装置の全能力を表示する機能を搭載しなくとも、画像処理装置間で前記全能力を連係して実行できるようにすることである。
【課題を解決するための手段】
【０００７】
本発明は、ネットワークを介して複数の画像処理装置に接続され、一方の画像処理装置で取得した画像データを他方の画像処理装置へ送信して情報処理を行う操作端末であって、前記画像処理装置の画像処理装置リストを保持する画像処理装置リスト保持手段と、前記画像処理装置リスト保持手段に保持した画像処理装置に対して、当該画像処理装置の能力を問い合わせる画像処理装置能力問い合わせ手段と、前記画像処理装置能力問い合わせ手段で問い合わせた前記画像処理装置の能力に基づき、前記画像処理装置リスト保持に保持された画像処理装置から、前記情報処理に必要な能力を備えた画像処理装置を選択する画像処理装置選択手段と、前記画像処理装置能力問い合わせ手段で取得した前記画像処理装置の能力を、前記選択された画像処理装置と共に表示画面に表示する画像処理装置能力表示手段と、を有し、ユーザの操作に応じて、前記選択した画像処理装置に前記情報処理動作を指示することを特徴とする操作端末である。
【発明の効果】
【０００８】
本発明によれば、複数の画像処理装置とネットワークを介し接続された操作端末において、操作端末で連係先の画像処理装置の能力を表示可能にしたことで、一方の画像処理装置側で、画像処理装置間で連係して処理を行う他方の画像処理装置の全能力を表示する機能を搭載しなくとも、前記全能力を連係して実行することができる。
【図面の簡単な説明】
【０００９】
【図１】本発明の情報処理システムの実施形態であるＦＡＸ処理システムの概略図である。
【図２】図１に示すＦＡＸ処理システムにおけるモバイル端末のハードウェア構成図である。
【図３】モバイル端末と連係するモデム付き画像処理装置のハードウェア構成図である。
【図４】モバイル端末と連係する画像処理装置のデータの流れを示した機能構成図である。
【図５】画像処理装置と連係するモバイル端末のデータの流れを示した機能構成図である。
【図６】モバイル端末の操作パネルにおける表示例である。
【図７】モバイル端末の操作パネルにおける初期画面問い合わせ項目設定の表示例である。
【図８】モバイル端末の操作パネルにおけるユーザ情報設定画面の表示例である。
【図９】モバイル端末で、画像処理装置の能力を操作パネルに表示し、ユーザからの送信指示を受け、当該画像処理装置に対して指示し、データ送信を行う一連の処理手順を示すフロー図である。
【図１０】操作パネルに表示する初期画面をユーザが選択し、決定するための処理手順を示すフロー図である。
【図１１】モバイル端末が受信を検知し、受信動作を行う処理手順を示すフロー図である。
【図１２】ユーザが操作パネルで認証し、ログインしたときの初期画面の表示処理の手順を示すフローチャートである。
【発明を実施するための形態】
【００１０】
まず、本発明の特徴を概略的に説明すると、操作端末装置（単に操作端末という）と連係先の画像処理装置が本体操作部で表示している画面を操作端末側で表示し、連係先の画像処理装置の情報を操作端末が受領（受信）して操作を行う。これにより、操作端末で連係先の画像処理装置の全能力を実現させることである。また、画像データの送受信を、従来の画像処理装置の画像データ送受信の仕組みを利用して操作端末が行うことである。
【００１１】
次に、本発明の情報処理システムの一実施形態として、ここでは、情報処理をＦＡＸ処理に例を採って、ＦＡＸ処理システムについて図面を参照して説明する。
図１は、本発明の情報処理システムの実施形態であるＦＡＸ処理システムの概略図である。
本ＦＡＸ処理システムは、イーサネット（登録商標）や無線ＬＡＮなどのネットワークで接続された操作端末、ここではモバイル端末１０と、複数の画像処理装置（モデム無し画像処理装置２１とモデム付き画像処理装置２２）とから成っている。なお、ここで「画像処理装置」は、例えば、モデムの有無に関わらずプリンタ、複合機、ＰＣ（パーソナルコンピュータ）など画像データの処理が可能な機器を云う。
【００１２】
ユーザは、モバイル端末１０の表示画面、ここでは操作パネル１２を利用してＦＡＸ送信を行う。操作パネル１２には、モデム無し画像処理装置２１の読み取り機能を利用するために、モデム無し画像処理装置２１の読み取りに関する設定が表示される。また、モデム付き画像処理装置２２のＦＡＸ送信機能を利用するために、モデム付き画像処理装置２２のＦＡＸ機能が表示される。
【００１３】
ユーザは、操作パネル１２から、モデム無し画像処理装置２１の読み取りに関する設定を行い、読み取り送信のスタートを指示する。つまり、モバイル端末１０はモデム無し画像処理装置２１から送信画像を取得し、モデム付き画像処理装置２２に対しては、モデム付き画像処理装置２２に取得した送信画像を送信してＦＡＸ処理を行う設定を行い、ＦＡＸを送信する。逆に、ＦＡＸの受信時には、モデム付き画像処理装置２２からモバイル端末１０が画像データを受信し、モデム無し画像処理装置２１に対して、ＦＡＸ画像デ一タを送信することでモデム無し画像処理装置２１においてＦＡＸの受信を行う。
【００１４】
図２は、図１に示すＦＡＸ処理システムにおけるモバイル端末１０のハードウェア構成図である。
モバイル端末１０は、当該モバイル端末１０全体の制御演算を行うＣＰＵ１０１、一時的な記憶領域として利用される記憶手段であるＲＡＭ１０２、プログラム、フォント、及びその他の静的なデータが格納された記憶手段であるＲＯＭ１０３、不揮発性のデータを格納しておく記憶手段であるＮＶＲＡＭ１０４、ユーザとのインタフェース手段を構成するパネル制御部１０５及び操作パネル１２、大量のイメージデータの蓄積場所及びデータベースの記憶場所として利用される記憶手段であるディスクドライバ１０７及び記憶媒体１０８、外部機器と接続するセントロニクス等のI／Ｆである外部Ｉ／Ｆ（インタフェース）１０９、イーサネット（登録商標）や無線ＬＡＮ（ローカルエリアネットワーク）等のネットワークに接続され、外部の画像処理装置との通信を可能とする通信制御部１１０とを備えている。モバイル端末１０の前記各構成要素は互いにデータバス１１４を介して情報のやり取りを行う。
【００１５】
図３は、モバイル端末１０と連係するモデム付き画像処理装置２２のハードウェア構成図である。なお、モデムを除いた構成はモデム無し画像処理装置２１と共通であるのでモデム無し画像処理装置２１の説明は省略する。
即ち、画像処理装置２２は、当該画像処理装置２２全体の制御演算を行うＣＰＵ２０１、一時的な記憶領域として利用される記憶手段であるＲＡＭ２０２、プログラム、フォント、及びその他の静的なデータが格納された記憶手段であるＲＯＭ２０３、不揮発性のデータを格納しておく記憶手段であるＮＶＲＡＭ２０４、ユーザとのＩ／Ｆ手段を構成するパネル制御部２０５及び操作パネル２０６、イメージデータの入出カユニットとして、紙原稿の読み取りと転写紙への印刷を行うエンジン制御部２０７及びスキャン及びプリントエンジン２０８、大量のイメージデータの蓄積場所及びデータベースの記憶場所として利用される記憶手段であるディスクドライバ２０９及び記憶媒体２１０、外部機器と接続するセントロニクス等のＩ／Ｆである外部Ｉ／Ｆ２１１、イーサネット（登録商標）や無線ＬＡＮ等のネットワークに接続され、外部の画像処理装置との通信を可能とする通信制御部２１３とを備えている。以上の構成はモデム無し画像処理装置２１と共通であるが、モデム付き画像処理装置２２は、さらに公衆電話回線と接続され、外部機器との通信を可能にするモデム２１２を備えている。以上の各構成要素は互いにデータバス２１４を介して情報のやり取りを行う。
【００１６】
図４は、モバイル端末１０と連係する画像処理装置２１、２２のデータの流れを示した機能構成図である。
画像処理装置２１、２２において、ジョブ受付手段２２２は、ユーザからのジョブスタート動作または、モバイル端末１０からの受信を受け付け、送信ジョブ、受信ジョブを実行する。データ送受信手段２２３は、エンジン制御部２０７から読み取った画像データをモバイル端末１０に送信する。また、モバイル端末１０から画像データを受信する。能力問い合わせ受付手段２２４は、モバイル端末１０からの能力問い合わせを受け付け、当該画像処理装置２１、２２の能力をモバイル端末１０に通知する。
【００１７】
図５は、画像処理装置２１、２２と連係するモバイル端末１０のデータの流れを示した機能構成図である。
画像処理装置リスト保持手段１２１は、ネットワーク経由でモバイル端末１０に接続された画像処理装置２１、２２の情報を保持している。画像処理装置能力問い合わせ手段１２２は、画像処理装置リスト保持手段１２１に保持された画像処理装置２１、２２に対して、その能力（機能及び能力；以下総称して能力という）を問い合わせ、取得した各画像処理装置２１、２２の能力を能力記憶手段１２３に保存する。画像処理装置能力表示手段１２４は、問い合わせ項目決定手段１２６から、ユーザが画像処理装置を利用するために必要な能力を受け取り、能力記憶手段１２３から能力を選択して操作パネル１２に表示する。
【００１８】
画像処理装置選択手段１２５は、操作パネル１２でのユーザからのスタート操作を受け付け、画像処理装置２２を選択して例えばＦＡＸ送信のための情報処理の指示を出す。
問い合わせ項目決定手段１２６は、ユーザからの指示に応じて画像処理装置２１、２２に問い合わせる能力項目（例えば，ＦＡＸ送受信能力、コピー能力、スキャナ能力などの能力種別）を決定する。受信検知手段１２７は、モデム付き画像処理装置２２からの信号（当該画像処理装置においてＦＡＸを受信したことを示す信号）を検知する。データ送受信手段１２８は、画像処理装置選択手段１２５からの指示を受け付け、選択された画像処理装置２１、２２に指示及びデータを送信する。なお、モバイル端末１０は、受信検知手段１２７からの受信検知を受け、ＦＡＸを受信し、モデム無し画像処理装置２１にＦＡＸデータを送信する。
【００１９】
ユーザ認証手段１２９は、ユーザ認証を受け付け、ユーザ情報記憶手段１３０にログインユーザ情報を伝える。ユーザ情報記憶手段１３０は、ログインしたユーザが利用する能力（利用能力という）を保持（又は保存）している。ユーザ情報記憶手段１３０は、画像処理装置選択手段１２５に対して、ユーザの利用能力を伝え、画像処理装置選択手段１２５は、利用能力を備えた画像処理装置を能力記憶手段１２３から選択する。このようにして、ユーザと関係のある画像処理装置とその能力だけが操作パネル１２に表示される。
【００２０】
ここで、画像処理装置選択手段１２５が選択した画像処理装置２１、２２が使用不可能である場合は、臨時画像処理装置選択手段１３１に対して、前記利用能力が実現可能な画像処理装置が他にあるか検索し、あればその画像処理装置を臨時の画像処理装置として選択することを指示する。なお、以上の各手段は、モバイル端末１０のＣＰＵ１０１、ＲＡＭ１０２、ＲＯＭ１０３からなるコンピュータに、プログラムを読み取らせることによる機能実現手段として実現される。
【００２１】
図６は、モバイル端末１０の操作パネル１２における表示例である。
モバイル端末１０の操作パネル１２に、ネットワーク上の画像処理装置２２の能力（ここでは、モデム無し画像処理装置２１（Ｚ）における読取機能と、モデム付き画像処理装置２２（Ｘ）における拡張送信機能、サイズ、濃度、解像度、時刻指定送信、発信元名称印字、画像処理装置Ｘの宛先名）を表示し、ユーザは、操作パネル１２に触れるなどしてその画面で設定を行い、選択した画像処理装置に対して設定した処理を指示する、つまり、ユーザはスタートキーを押下する。これによって、前記画像処理装置はジョブを実行する。
【００２２】
図７は、モバイル端末１０の操作パネル１２における初期画面問い合わせ項目設定の表示例である。
ユーザは、モバイル端末１０の操作パネル１２に表示するために必要な画面とその利用機種を設定する。ここでは、画面として読取画面、宛先画面に対する利用機種としては図示のように、モデム無し画像処理装置２１（Ｚ）と、拡張送信機能画面の利用機種として、モデム付き画像処理装置２２（Ｙ）が設定された例を示す。この設定に基づいて、操作パネル１２の初期画面表示内容を切り替えることができる。
【００２３】
図８は、モバイル端末１０の操作パネル１２におけるユーザ情報設定画面の表示例である。
ユーザ情報設定画面では、モバイル端末１０の操作パネル１２に表示するために必要な能力（利用機能）とその利用機種をユーザ毎に設定する。ここでは能力（利用機能）として、ユーザ名Ａさんは、コピーではモデム無し画像処理装置２１（Ｚ）、ＦＡＸでは、モデム付き画像処理装置２２（Ｘ）と、モデム無し画像処理装置２１（Ｚ）に設定され、ユーザ名Ｂさんは、コピーではモデム無し画像処理装置２１（Ｚ）と、スキャナについてはモデム付き画像処理装置２２（Ｙ）が設定されている状態を示している。この設定に基づいて、操作パネル１２の初期画面表示内容を切り替えることができる。
【００２４】
図９は、モバイル端末１０で、画像処理装置２１、２２の能力を操作パネル１２に表示し、ユーザからの送信指示を受け、当該画像処理装置２１、２２に対して指示し、データ送信を行う一連の処理手順を示すフロー図である。
即ち、モバイル端末１０の画像処理装置能力問い合わせ手段１２２が、画像処理装置リスト保持手段１２１から画像処理装置情報を取得する（Ｓ１０１）。次に、画像処理装置能力問い合わせ手段１２２は、画像処理装置２１、２２にその能力を問い合わせる（Ｓ１０２）。画像処理装置能力問い合わせ手段１２２は、取得した画像処理装置２１、２２の能力を能力記憶手段１２３に保存する（Ｓ１０３）。
【００２５】
画像処理装置能力表示手段１２４は、問い合わせ項目決定手段１２６から、ユーザが画像処理装置を利用するために必要な能力を受け取り、能力記憶手段１２３から能力を選択して操作パネル１２に表示する。また、画像処理装置選択手段１２５も、同様に問い合わせ項目決定手段１２６から問い合わせ項目を取得し、能力記憶手段１２３からユーザが画像処理装置を利用するために必要な問い合わせ項目に係る能力項目（例えばＦＡＸ送受信能力）を受け取り、前記能力を備えた即ち前記能力が利用可能な画像処理装置（例えば、モデム付き画像処理装置２２）を選択する（Ｓ１０４）。
【００２６】
画像処理装置能力表示手段１２４は、操作パネル１２に選択した画像処理装置２１、２２の能力を表示する（Ｓ１０５）。ここで、ユーザが送信を指示すると（Ｓ１０６）、画像処理装置選択手段１２５は、選択した画像処理装置２１、２２に対象となる処理の実行指示を出す（Ｓ１０７）、と共にデータ送受信手段１２８にデータ送信指示を出して（Ｓ１０８）この処理を終了する。
【００２７】
図１０は、操作パネル１２に表示する初期画面をユーザが選択し、決定するための処理手順を示すフロー図である。
即ち、問い合わせ項目決定手段１２６は、問い合わせ項目を操作パネル１２に表示させ（Ｓ２０１）、ユーザが問い合わせ項目を選択する（Ｓ２０２）。問い合わせ項目決定手段１２６は、画像処理装置能力表示手段１２４に問い合わせ項目に係る能力を表示する指示を行う（Ｓ２０３）。画像処理装置能力表示手段１２４は、操作パネル１２に前記能力を表示して（Ｓ２０４）、この処理を終了する。
【００２８】
図１１は、モバイル端末１０が受信を検知し、受信動作を行う処理手順を示すフロー図である。
即ち、受信検知手段１２７は、画像処理装置２２からのデータ（ここでは、ＦＡＸを受信した旨の信号）を受信すると（Ｓ３０１）、受信検知手段１２７は画像処理装置リスト保持手段１２１にデータ（ＦＡＸデータ）の受信を指示する（Ｓ３０２）。画像処理装置リスト保持手段１２１は、受信検知手段１２７からの指示に基づきデータ送受信手段１２８にデータの受信を指示する（Ｓ３０３）。この指示に基づきデータ送受信手段１２８は、データを受信して（Ｓ３０４）、この処理を終了する。
【００２９】
図１２は、ユーザが操作パネル１２で認証し、ログインしたときの初期画面の表示処理の手順を示すフローチャートである。
即ち、ユーザが操作パネル１２からユーザ名とパスワードを入力する（Ｓ４０１）と、ユーザ認証手段１２９はユーザ名とパスワードに基づき認証を行う（Ｓ４０２）。ここで、認証がＯＫの場合は（Ｓ４０３、ＹＥＳ）、ユーザ情報記憶手段１３０は、当該ユーザのユーザ情報に対応する利用能力を選択し（Ｓ４０４）、画像処理装置選択手段１２５に対して、当該ユーザの利用能力を伝える。画像処理装置選択手段１２５は、当該利用能力に基づき画像処理装置を能力記憶手段１２３から選択すると共に、前記利用能力について、さらにユーザ情報記憶手段１３０から表示する能力の優先順位を取得する（Ｓ４０５）。
【００３０】
次に、画像処理装置能力表示手段１２４は、操作パネル１２に、選択した画像処理装置とともにその能力（機能）を、優先順位を付けて表示する（Ｓ４０６）。ここで、前記能力が利用可能であれば（Ｓ４０７、ＹＥＳ）、ユーザが操作パネル１２から表示された能力を利用する指示を行い、当該能力を利用する（Ｓ４０８）。利用した能力は、ユーザ情報記憶手段１３０に保存して（Ｓ４０９）、この処理を終了する。
ステップＳ４０３で、認証がＯＫでなければ（Ｓ４０３、ＮＯ）、最初に戻って認証をやり直す。
【００３１】
ステップＳ４０７で、選択した画像処理装置（図８における利用機種）が故障している等の理由で、その能力利用が不可能であるときは（Ｓ４０７、ＮＯ）、臨時画像処理装置選択手段１３１が、他に利用できる画像処理装置があるか否かを検索し（Ｓ４１０）、他の画像処理装置で能力が利用可能であれば（Ｓ４１１、ＹＥＳ）、前述のステップＳ４０８に進み、以降の処理（ステップＳ４０８、Ｓ４０９）を実行する。ステップＳ４１１で他の画像処理装置で前記能力が利用可能でなければ（Ｓ４１１、ＮＯ）、画像処理装置能力表示手段１２４は、操作パネル１２に利用不可の表示を行い（Ｓ４１２）、処理を終了する。
【００３２】
本実施形態では、ユーザ情報に従い、ユーザがよく利用する能力を表示する際に、当該能力を持つ画像処理装置が故障しているなどの理由で利用できない場合は、臨時に同じ能力を持つ他の画像処理装置を選択する。選択した画像処理装置で前記能力が利用できる場合は画面を表示し、利用できない場合は、利用不可を操作パネル１２に表示する。そのため、連係する画像処理装置２１、２２が故障した場合であっても、要求する能力を備えた他の画像処理装置で所望の能力を実現できる可能性があるため、ユーザの処理が不可能となるリスクを低減することができる。
【００３３】
なお、ユーザが画像処理装置２１、２２の能力を利用した場合は、ユーザ情報記憶手段１３０に利用した能力を記憶して、ユーザの利用頻度の高い能力から順に並べて表示する等などの処理に利用する。
【００３４】
本実施形態によれば、以下の作用効果を得ることが出来る。即ち、
（i）画像処理装置が本体操作部で表示している画面をモバイル端末で表示して操作を行う。また、連係先の画像処理装置の情報をモバイル端末が引き取りモバイル端末で機能を実現する。また、画像データの送信、引取（受信）をモバイル端末が従来の画像処理装置の画像データ送信、引取りの仕組みを利用して行うので、実行する全能力を連係先の画像処理装置に搭載することなく、目的とする情報処理を実行することができる。
（ii）ユーザが表示する能力項目を選択できるので、画像処理装置の使われ方に応じて余計な情報を見せなくしたり、必要な情報だけを見せたりすることができ、ユーザの操作を効率化することができる。
（iii）画像処理装置からモバイル端末に、又その逆にデータ送受信するので、画像処理装置が連係したモバイル端末の形式を意識せずに、従来のデータ送信、受信の仕組みを使うことができる。そのため、画像処理装置に新たな機能を搭載する必要はなく、開発効率を上げることができる。
（iv）ユーザに関係のある画像処理装置とその能力だけが表示されるので、ユーザがよく使う能力を間違いなく利用できる。
（v）ユーザが普段利用している画像処理装置が利用できない場合にも、他の画像処理装置が使えるので、故障時に能力が利用できなくなる状態を回避可能である。
（vi）よく使う能力が操作パネルにおいて優先的に表示、例えば上位に表示されるので、効率よく機能を利用することができる。
（vii）モバイル端末は、受信検知手段を備えたことにより、画像処理装置がＦＡＸ受信したことを検知することができ、したがって、自動でＦＡＸ受信動作を行うことができる。
【００３５】
なお、以上の説明では、操作端末としてモバイル端末を用いた場合について説明したが、操作端末はこれに限定されない、固定型の端末であってもよく、また、表示画面は、操作パネルに限定されないユーザの操作はパネル以外の手段で行うものであってもよい。
【符号の説明】
【００３６】
１０…モバイル端末（操作端末）、１２・・・操作パネル（表示画面）、２１・・・モデム無し画像処理装置、２２・・・モデム付き画像処理装置、１０１、２０１・・・ＣＰＵ、１０２、２０２・・・ＲＡＭ、１０３、２０３・・・ＲＯＭ、１０４、２０４・・・ＮＶＲＡＭ、１０５、２０５・・・パネル制御部、２０６・・・操作パネル、１０７、２０９・・・ディスクドライバ、１０８、２１０・・・記憶媒体、１０９、２１１・・・外部Ｉ／Ｆ、１１０、２１３・・・通信制御部、１２１・・・画像処理装置リスト保持手段、１２２・・・画像処理装置能力問い合わせ手段、１２３・・・能力記憶手段、１２４・・・画像処理装置能力表示手段、１２５・・・画像処理装置選択手段、１２６・・・問い合わせ項目決定手段、１２７・・・受信検知手段、１２８、２２３・・・データ送受信手段、１２９・・・ユーザ認証手段、１３０・・・ユーザ情報記憶手段、１３１・・・臨時画像処理装置選択手段、２０７・・・エンジン制御部、２０８・・・スキャン／プリントエンジン、２１２・・・モデム、２２２・・・ジョブ受付手段、２２４・・・能力問い合わせ受付手段。
【先行技術文献】
【特許文献】
【００３７】
【特許文献１】特開２００３−１７９７１８号公報
【特許文献２】特開２００３−２７４１０７号公報
【図１】
2014103562.tif 000003
【図２】
2014103562.tif 000004
【図３】
2014103562.tif 000005
【図４】
2014103562.tif 000006
【図５】
2014103562.tif 000007
【図６】
2014103562.tif 000008
【図７】
2014103562.tif 000009
【図８】
2014103562.tif 000010
【図９】
2014103562.tif 000011
【図１０】
2014103562.tif 000012
【図１１】
2014103562.tif 000013
【図１２】
2014103562.tif 000014